(57)【要約】【課題】  光ディスクの装てん後に開始されるパワーコントロールで信号面に照射されるレーザパワーを迅速に所定の規定値とする。【解決手段】  コントロールマイコン44は非読み取り時に、光ピックアップ５が待機位置に移動されて反射面26を有する覆い板２０で対物レンズ11の前が覆われた状態で、パワーコントロール部16によりフィードバック制御オフ下で可変の駆動電流でレーザ発光部10を発光させたときのモニタ用光検出部15の検出出力から、光ディスク２の信号面に照射されるレーザパワーを所定の規定値にするための駆動電流を求め、デフォルト値として更新記憶する。読み取り時、光ピックアップ５を待機位置から移動し、覆い板20を対物レンズ11の前から外し、最初デフォルト値でレーザ発光部10の発光を開始させ、モニタ用光検出部15の検出出力に基づき、光ディスク２の信号面に照射されるレーザパワーを所定の規定値にフィードバック制御させる。【選択図】        図１
2012059318.tif 000002
【特許請求の範囲】
【請求項１】
レーザ発光手段から発光させたレーザビームを対物レンズを含む光学系を介して光ディスクの信号面に照射し、信号面で反射された戻りビームから記録信号を検出する光ピックアップと、
戻りビームの光強度を検出する検出手段と、
光ピックアップの対物レンズの前を覆う覆い板と、
覆い板を対物レンズの光路上に進入した位置と退避した位置との間で可動する可動手段と、
覆い板が対物レンズの光路上に進入した位置にあるとき覆い板の光路と交わる位置    に形成されたレーザビームの反射面と、
を備えたことを特徴とする光ディスク装置のレーザパワー検出装置。
【請求項２】
光ピックアップの光学系にレーザビームの合焦位置を、光ディスクの信号を読み取る第一の位置から覆い板の反射面近傍に合焦する第二の位置に可変する可変手段を設けたこと、
を特徴とする請求項１記載の光ディスク装置のレーザパワー検出装置。
【請求項３】
レーザ発光手段から発光させたレーザビームを対物レンズを含む光学系を介して光ディスクの信号面に照射し、信号面で反射された戻りビームから記録信号を検出する光ピックアップと、
戻りビームの光強度を検出する検出手段と、
読み取り時に最初デフォルト値の駆動電流でレーザ発光手段の発光を開始させ、検出手段の出力から信号面に照射されるレーザパワーを所定の規定値にフィードバック制御するレーザパワー制御手段と、
光ピックアップの光学系の対物レンズの前を覆う覆い板と、
非読み取り時に覆い板を対物レンズの光路上に進入した位置に移動し、読み取り時に覆い板を対物レンズの光路上から退避した位置に移動する可動手段と、
覆い板が対物レンズの光路上に進入した位置にあるとき覆い板の光路と交わる位置    に形成されたレーザビームの反射面と、
非読み取り時に、可動手段により覆い板が対物レンズの光路上に進入した位置に来た状態で、レーザパワー制御手段のフィードバック制御をオフしながら可変の駆動電流値でレーザ発光手段を発光させたときの検出手段の出力から、光ディスクの信号面に照射されるレーザパワーを所定の規定値にするための駆動電流を求め、デフォルト値とするデフォルト値決定手段と、
を備えたことを特徴とする光ディスク装置のレーザパワー調整装置。
【請求項４】
光ピックアップの光学系にレーザビームの合焦位置を、光ディスクの信号を読み取る第一の位置と、デフォルト値決定時の覆い板の反射面近傍に合焦する第二の位置に可変する可変手段を設けたこと、
を特徴とする請求項３記載の光ディスク装置のレーザパワー調整装置。
【発明の詳細な説明】
【技術分野】
【０００１】
本発明は光ディスク装置のレーザパワー検出装置、光ディスク装置のレーザパワー調整装置に係り、とくに戻りビームの光強度からレーザパワーを検出する光ディスク装置のレーザパワー検出装置、光ディスク装置のレーザパワー調整装置に関する。
【背景技術】
【０００２】
ＣＤ（コンパクトディスク）、ＤＶＤ（ディジタルバーサタイルディスク）、ＢＤ（ブルーレイディスク）などの光ディスクの再生装置は、光ピックアップのレーザ発光部から発射させたレーザビームを光学系を介して光ディスクに導き信号面に合焦させ、反射した戻りビームを光学系を介して信号読み取り用光検出部に導き各種光検出信号に変換させ、この光検出信号からヘッドアンプにてＲＦ信号、フォーカスエラー信号、トラッキングエラー信号を作成し、ＲＦ信号を２値化して記録情報の読み取りを行なうとともに、フォーカスエラー信号とトラッキングエラー信号に基づきフォーカス、トラッキング、スレッドの各種サーボを掛けてレーザスポットが信号トラックを追従するようにしている。記録情報の読み取りや各種サーボを正常に行なうためには光ディスクの信号面に照射されるレーザパワーを所定の規定範囲内に維持する必要があるが、レーザ発光部の電流−光強度特性は温度により変動するとともに時間とともに劣化するため、パワーコントロールを行なって規定値に調整している。
【０００３】
例えばレーザビームの往路の途中にビームスプリッタを設けて一部を取り出し、モニタ用光検出部に導きレーザ強度を検出する。この検出信号に基づきパワーコントロール回路がレーザ発光部での駆動電流を制御し、信号面に照射されるレーザパワーが所定の規定値を維持するように自動調整している（特開２００８−１０８３５８号参照）。パワーコントロール回路はレーザ発光部の点灯開始時、上位のコントロールマイコンから与えられるデフォルトの駆動電流値で駆動させる。そして、モニタ用光検出部から入力した検出信号からレーザ強度を監視し、所定の基準値と比較して強度が低い場合、駆動電流値を上げ、高い場合、駆動電流値を下げることで、信号面に照射されるレーザパワーが所定の規定値となるように調整する。
【０００４】
デフォルトの駆動電流値はレーザ発光部の発光特性のばらつきから光ピックアップ毎に異なった値とされる。工場での光ピックアップ周りのメカ部組み立てラインにおいて、光ピックアップを試験装置と接続し、レーザ発光部の駆動電流値を可変しながらモニタ用光検出部で検出されたレーザ強度が所定の基準値（このとき信号面に照射されるレーザパワーが所定の規定値となっている）を示す駆動電流値を計測することで決定され、上位のコントロールマイコンの不揮発性メモリに書き込まれる（上位のコントロールマイコンにはモニタ用光検出部での検出信号を比較するための所定の基準値も書き込まれる）。
レーザビームの復路の途中にビームスプリッタを設けて戻りビームの一部を取り出し、モニタ用光検出部に導きレーザ強度を検出するようにしてもよい。
【０００５】
けれども、レーザビームの復路の途中にビームスプリッタを設けて戻りビームの一部を取り出し、モニタ用光検出部に導く場合、光ディスクが装てん状態にされないと、戻りビームがモニタ用光検出部に入射せず、正常なパワーコントロールができない。このため、光ディスクが装てんされたあと、レーザ発光部を点灯しパワーコントロールを開始する必要があり、信号面に照射されるレーザパワーが所定の規定値となるまで時間が掛かっていた。
また、工場でのメカ部組み立てラインにおいて光ピックアップのレーザパワーの試験をする際、光ディスクを装てん状態にしないと試験が出来ず、手間が掛かっていた。
【先行技術文献】
【特許文献】
【０００６】
【特許文献１】特開２００８−１０８３５８号公報
【発明の概要】
【発明が解決しようとする課題】
【０００７】
本発明は上記した従来技術の問題に鑑み、光ディスクが未装てんでも戻り光からレーザ強度を検出できる光ディスク装置のレーザパワー検出装置を提供することを、その目的とする。
また、レーザ発光部の経年劣化が進んでも、光ディスクの装てん後に開始されるパワーコントロールで信号面に照射されるレーザパワーを迅速に所定の規定値とできる光ディスク装置のレーザパワー調整装置を提供することを、その目的とする。
【課題を解決するための手段】
【０００８】
本発明の１つは、レーザ発光手段から発光させたレーザビームを対物レンズを含む光学系を介して光ディスクの信号面に照射し、信号面で反射された戻りビームから記録信号を検出する光ピックアップと、戻りビームの光強度を検出する検出手段と、光ピックアップの対物レンズの前を覆う覆い板と、覆い板を対物レンズの光路上に進入した位置と退避した位置との間で可動する可動手段と、覆い板が対物レンズの光路上に進入した位置にあるとき覆い板の光路と交わる位置に形成されたレーザビームの反射面と、を備えたことを特徴としている。光ピックアップの光学系にレーザビームの合焦位置を、光ディスクの信号を読み取る第一の位置から覆い板の反射面近傍に合焦する第二の位置に可変する可変手段を設けても良い。
本発明の他の１つは、レーザ発光手段から発光させたレーザビームを対物レンズを含む光学系を介して光ディスクの信号面に照射し、信号面で反射された戻りビームから記録信号を検出する光ピックアップと、戻りビームの光強度を検出する検出手段と、読み取り時に最初デフォルト値の駆動電流でレーザ発光手段の発光を開始させ、検出手段の出力から信号面に照射されるレーザパワーを所定の規定値にフィードバック制御するレーザパワー制御手段と、光ピックアップの光学系の対物レンズの前を覆う覆い板と、非読み取り時に覆い板を対物レンズの光路上に進入した位置に移動し、読み取り時に覆い板を対物レンズの光路上から退避した位置に移動する可動手段と、覆い板が対物レンズの光路上に進入した位置にあるとき覆い板の光路と交わる位置に形成されたレーザビームの反射面と、非読み取り時に、可動手段により覆い板が対物レンズの光路上に進入した位置に来た状態で、レーザパワー制御手段のフィードバック制御をオフしながら可変の駆動電流値でレーザ発光手段を発光させたときの検出手段の出力から、光ディスクの信号面に照射されるレーザパワーを所定の規定値にするための駆動電流を求め、デフォルト値とするデフォルト値決定手段と、を備えたことを特徴としている。光ピックアップの光学系にレーザビームの合焦位置を、光ディスクの信号を読み取る第一の位置と、デフォルト値決定時の覆い板の反射面近傍に合焦する第二の位置に可変する可変手段を設けても良い。
【発明の効果】
【０００９】
本発明の１つによれば、光ディスクが未装てんであっても、反射面を有する覆い板を対物レンズの光路上に進入させることにより、戻りビームの光強度を検出することができ、例えば、工場でのメカ部組み立てラインにおいて光ピックアップのレーザパワーを試験する際に光ディスクの装てんを要せず、手間が省ける。
また、本発明の他の１つによれば、レーザ発光部の経年劣化が進んでも、光ディスクが未装てんの間に、反射面を有する覆い板を対物レンズの光路上に進入させ、レーザパワー制御手段のフィードバック制御をオフしながら可変の駆動電流値でレーザ発光手段を発光させたときの検出手段の出力から、信号面に照射されるレーザパワーを所定の規定値にするための駆動電流を求め、デフォルト値とする。次に光ディスクが装てんされたとき、このデフォルト値の駆動電流でレーザ発光手段の発光を開始させてフィードバック制御することで、信号面に照射されるレーザパワーを迅速に所定の規定値とでき、信号読み取りを素早く開始できる。
【図面の簡単な説明】
【００１０】
【図１】本発明に係る光ディスク再生装置のメカ部周りの構成を示す構成図である。（実施例１）
【図２】図１の覆い板の動作を説明する動作説明図である。
【図３】図１の光ピックアップの光学系の構成を示す構成図である。
【図４】図１のコントロールマイコンの制御処理を示すフローチャートである。
【図５】図１のコントロールマイコンの制御処理を示すフローチャートである。
【図６】図１のコントロールマイコンの制御処理を示すフローチャートである。
【図７】図１のコントロールマイコンの制御処理を示すフローチャートである。
【図８】図１のコントロールマイコンの制御処理を示すフローチャートである。
【図９】信号読み取り時の覆い板と光ピックアップの位置関係を示す説明図である。
【発明を実施するための形態】
【００１１】
以下、本発明の実施の形態を実施例に基づき説明する。
【実施例１】
【００１２】
図１は本発明に係る光ディスク再生装置のメカ部周りの構成を示す構成図である。
１は図示しない筐体内に固定配置された固定ベース、２は光ディスクであり、ここではＣＤ（コンパクトディスク）またはＤＶＤ（ディジタルバーサタイルディスク）とする。３は固定ベース１に装備されて光ディスク２を回転するスピンドルモータ、４は光ディスク２が装てんされるターンテーブルであり、スピンドルモータ３の軸に直結されている。５は固定ベース１にスライド自在に装備されて光ディスク２の下面側から信号面にレーザビームを照射し、反射ビームから信号検出を行なう光ピックアップ、６は光ピックアップ５の下部に配置されたスライドベース、７はスライドベース６に固着された箱形のピックアップカバー、８は固定ベース１に装備されたスレッドモータ、９はスレッドモータ８に駆動されて光ピックアップ５のスライドベース６を光ディスク２の半径方向外側または内側に移動する送り機構である。
【００１３】
光ピックアップ５の内、１０は２波長のレーザ発光部であり、ＣＤモードの場合、ＣＤ用レーザ発光ダイオード（図示せず）から波長７８０ｎｍ、ＤＶＤモードの場合、ＤＶＤ用レーザ発光ダイオード（図示せず）から波長６５０ｎｍのレーザビームを発射する。１１は対物レンズであり、ピックアップカバー７に開けられた開口部１２に配置されている。１３は対物レンズ１１を除く光学系であり、レーザ発光部１０から発射されたレーザビームをほぼ平行光束の状態で対物レンズ１１に導き、光ディスク２の信号面に合焦させる。１４は信号面で反射された戻りビームの大部分が光学系１３を介して入射され、各種光検出信号（Ａ、Ｂ、Ｃ、Ｄ、Ｅ、Ｆ等）を出力する信号読み取り用光検出部、１５は戻りビームの一部が入射されて光強度を検出するモニタ用光検出部、１６はモニタ用光検出部１５の検出出力に基づき、信号面に照射されるレーザパワーが所定の規定値を維持するようにフィードバック制御を行なうパワーコントロール部、１７は対物レンズ１１を光ディスク２の信号面に対し垂直方向（フォーカス方向）と半径方向（トラッキング方向）に移動する２軸アクチュエータである。
【００１４】
パワーコントロール部１６は電源オン直後、後述するコントロールマイコンの指令に基づきフィードバック制御をオフし、まずコントロールマイコンから与えられるＣＤ用デフォルト値でレーザ発光部１０のＣＤ用レーザ発光ダイオードを駆動し、モニタ用光検出部１５の検出出力値をコントロールマイコンに出力し、コントロールマイコンから所定ステップ分の駆動電流の増減が指示されると、指示に従い増減し、モニタ用光検出部１５の検出出力値をコントロールマイコンに出力することにより、ＣＤ用レーザ発光ダイオードの電流−レーザパワー特性を計測する。続いて、コントロールマイコンから与えられるＤＶＤ用デフォルト値でレーザ発光部１０のＤＶＤ用レーザ発光ダイオードを駆動し、モニタ用光検出部１５の検出出力値をコントロールマイコンに出力し、コントロールマイコンから所定ステップ分の駆動電流の増減が指示されると、指示に従い増減し、モニタ用光検出部１５の検出出力値をコントロールマイコンに出力することにより、ＤＶＤ用レーザ発光ダイオードの電流−レーザパワー特性を計測する。コントロールマイコンは計測結果に基づき、ＣＤ用とＤＶＤ用のデフォルト値を適正値に変更する。
【００１５】
また、パワーコントロール部１６は光ディスク２の装てんが検出されると、ディスク種別判別のためにコントロールマイコンの指令に基づきフィードバック制御をオフし、まずコントロールマイコンから与えられるＣＤ用デフォルト値でレーザ発光部１０のＣＤ用レーザ発光ダイオードを駆動する。コントロールマイコンは対物レンズ１１を光ディスク２に対し垂直方向に移動したときの後述するフォーカスＳ字信号を観察し、ＣＤとＤＶＤとでの波形の違いから種類を判別する。
また、パワーコントロール部１６は光ディスク２の信号読み取り時、コントロールマイコンから与えられるＣＤ用またはＤＶＤ用デフォルト値でレーザ発光部１０のＣＤ用またはＤＶＤ用レーザ発光ダイオードを駆動し、モニタ用光検出部１５の検出出力に基づきフィードバック制御を行なって、光ディスク２の信号面に照射されるレーザパワーが光ディスク２の種類に応じた所定の規定値に維持させる。
【００１６】
これと異なり、工場での試験時、パワーコントロール部１６はコントロールマイコンの指令に基づきフィードバック制御をオフし、コントロールマイコンから与えられるＣＤ用レーザ発光ダイオードの可変の駆動電流値でレーザ発光部１０のＣＤ用レーザ発光ダイオードを駆動し、モニタ用光検出部１５の検出出力値をコントロールマイコンに出力することにより、ＣＤ用レーザ発光ダイオードの電流−レーザパワー特性を計測し、続いてコントロールマイコンから与えられるＤＶＤ用レーザ発光ダイオードの可変の駆動電流値でレーザ発光部１０のＤＶＤ用レーザ発光ダイオードを駆動し、モニタ用光検出部１５の検出出力値をコントロールマイコンに出力することにより、ＤＶＤ用レーザ発光ダイオードの電流−レーザパワー特性を計測する。計測結果に基づき、コントロールマイコンにＣＤ用とＤＶＤ用のデフォルト値が書き込まれる。
【００１７】
２０は対物レンズ１１の前を覆いホコリや汚れの付着を防ぐ覆い板、２１は覆い板２０の一端部が固着されるとともに、スライドベース６に回動自在に軸支された回動軸、２２は回動軸２１の下端近くに舌状に突設された受動部、２３は固定ベース１からＬ字状に突設されて受動部２２に係合する作動部、２４は回動軸２１に巻装されるとともに一端側がピックアップカバー７に係止され、他端側が回動軸２１に係止されることで、回動軸２１を上から見て時計回りに付勢するコイルバネである。図２（１）に示す如く、回動軸２１が作動部２３から離れているとき、コイルバネ２４に付勢されて回動軸２１が時計回りの方向に回動し、回動軸２１から突設されたストッパ２５がピックアップカバー７に当接した状態となり、この際、覆い板２０は対物レンズ１１の光路上から退避した位置に移動する。スライドベース６がターンテーブル４に近づくと、作動部２３が回動軸２１の受動部２２に係合して、コイルバネ２４に抗して回動軸２１を反時計回りに回動し、対物レンズ１１の光路を覆い板２０が完全に覆った位置で、スライドベース６のターンテーブル４の方向への移動が図示しないストッパにより制限されて非読み取り時の光ピックアップ５の待機位置とされる（図２（２）参照）。この待機位置での対物レンズ１１の中心は光ディスク２のリードインより内側であり、光ディスク２の読み取り時には対物レンズ１１の中心が光ディスク２のリードインに来るまでスライドベース６が移動され、このとき、覆い板２０は対物レンズ１１の光路上から退避した位置に来るようになっている。
図１に戻って、覆い板２０の下面（対物レンズ１１の側）には全面または対物レンズ１１の光路を完全に覆った位置に来たときの対物レンズ１１の光路と交わる領域を中心に含む一定の円領域にレーザビームの反射面２６が形成されている。この反射面２６は波長７８０ｎｍと６５０ｎｍを反射可能な反射材を塗布することで形成してあり、ここではＣＤの信号面に用いられる反射材が塗布してあるものとする。なお、覆い板２０の全体を波長７８０ｎｍと６５０ｎｍを反射可能な反射材で形成しても良い。
【００１８】
光ピックアップ５の光学系を図３により説明する。レーザ発光部１０から発射された波長７８０ｎｍまたは６５０ｎｍのレーザビームはコリメートレンズ３０により平行光束とされ、回折格子３１により０次光と±１次光に回折されたのち、ビームスプリッタ３２を通してビームエキスパンダ３３に入射されて発散・収束状態が可変され、λ／４波長シフト板３４により円偏光と直線偏光の変換がされて対物レンズ１１に入射される。光ディスク２または覆い板２０で反射された戻り光は対物レンズ１１、λ／４波長シフト板３４、ビームエキスパンダ３３を通ってビームスプリッタ３２で９０度進路を曲げられ、更にビームスプリッタ３５で一部が９０度反射されて集光レンズ３６を通ってモニタ用光検出部１５に入射され、残りがシリンドリカルレンズ３７を通って信号読み取り用光検出部１４に入射される。ビームエキスパンダ３３はレーザビームの発散・収束状態を可変することにより、レーザビームの合焦点を覆い板２０の反射面２６の近傍としたり、光ディスク２の信号面近傍にしたりする。
【００１９】
ビームエキスパンダ３３は固定の凸レンズ３８と可変の凹レンズ３９の組合わせからなり、凹レンズ３９をスライドモータ４０で凸レンズ３８に近づく方向または離れる方向に移動することで、レーザビームの発散・収束状態を可変する。凹レンズ３９が凸レンズ３８に近づくと、対物レンズ１１によるレーザビームの合焦点が対物レンズ１１から離れ、反対に凹レンズ３９が凸レンズ３８から離れると、レーザビームの合焦点が対物レンズ１１に近づく。凹レンズ３９は通常はビームエキスパンダ３３に入射される光束の平行状態を変えず対物レンズ１１から出射されるレーザビームの合焦点が光ディスク２の信号面近傍に来る基準位置にあり、必要により、収束状態にすることで対物レンズ１１から出射されるレーザビームの合焦点を覆い板２０の反射面近傍に可変する。スライドモータ４０には位置制御の正確なステッピングモータが用いられている。
【００２０】
図１に戻って、４１は信号読み取り用光検出部１４の検出出力からＲＦ信号、フォーカスエラーを示すＦＥ信号、トラッキングエラーを示すＴＥ信号を作成するヘッドアンプ、４２はＲＦ信号を２値化し、記録情報の読み取りを行なうとともに同期信号からＣＬＶ制御信号を作成して出力する信号処理回路、４３はサーボ回路であり、ＦＥ信号、ＴＥ信号にゲイン調整と位相補償を行って２軸アクチュエター１７を駆動したり、ＴＥ信号にゲイン調整と位相補償を行なってスレッドモータ８を駆動したり、ＣＬＶ制御信号に基づきスピンドルモータ２に対しＣＬＶ駆動をしたりする。４４は装置の全体的な制御を行なうコントロールマイコンであり、電源オフ時に光ピックアップ５を待機位置に移動したり、電源オン直後にレーザ発光部１０の駆動電流のオフセット値の更新処理をしたり、光ディスク２が装てんされたあとのディスク種別判別処理、レーザパワーコントロール開始制御処理、信号読み取り制御処理をしたりする。また、工場での組み立てラインで接続された試験装置からの指令に従い、レーザ発光部１０の電流−光強度特性の測定処理、レーザ発光部１０の駆動電流のオフセット値の記憶等を行なう。対物レンズ１１と覆い板２０の反射面２６の位置関係が予め決まっており、コントロールマイコン４４にはＣＤ用の波長７８０ｎｍのレーザビームの合焦点が覆い板２０の反射面近傍に来る凹レンズ３９の位置情報とＤＶＤ用の波長６５０ｎｍのレーザビームの合焦点が覆い板２０の反射面近傍に来る凹レンズ３９の位置情報が記憶してある。
【００２１】
図４乃至図８はコントロールマイコン４４の制御処理を示すフローチャート、図９は信号読み取り時の光ピックアップ５と覆い板２０の位置関係を示す説明図であり、以下、これらの図を参照して上記した実施例の動作を説明する。
（１）工場での試験によるデフォルト値の設定
予め、コントロールマイコン４４と試験装置５０が接続されており、電源が接続済であるとする（図１参照）。コントロールマイコン４４は電源オン時に外部の試験装置５０が接続されているとき、テストモードとなり（図４のステップＳ１０、Ｓ１１）、まずサーボ回路４３に指示してスレッドモータ８により、光ピックアップ５をターンテーブル４の方向に図示しないストッパに当たるまで移動させ待機状態とする（ステップＳ１２）。このとき、作動部２３が受動部２２に係合して回動軸２１を回動させ覆い板２０が対物レンズ１１の光路上に進入した位置に来る（図２（２）参照）。試験装置５０からレーザ発光部１０のＣＤ用レーザ発光ダイオードの特性計測が指示されると、コントロールマイコン４４は、ビームエキスパンダ３３のスライドモータ４０を駆動し、ＣＤ用の波長７８０ｎｍのレーザビームの合焦点が覆い板２０の反射面近傍に来るようにしたのち（ステップＳ１３、Ｓ１４）、パワーコントロール部１６にフィードバック制御をオフさせた状態で、まず所定のｃＣＤ用最小駆動電流値Ｉ（ＣＤ）ｍｉｎでＣＤ用レーザ発光ダイオードを駆動させ、覆い板２０の反射面２６で反射した戻り光の一部が入射されるモニタ用光検出部１５の検出出力値をパワーコントロール部１６を介して入力し、今回の駆動電流値と組にし、最初の計測データとして試験装置５０に出力する。その後、駆動電流をΔＩだけ増大させる指令をパワーコントロール部１６に与えて駆動電流を１ステップ分増大させ、そのときのモニタ用光検出部１５の検出出力値をパワーコントロール部１６を介して入力し、駆動電流値と組にして２番目の計測データとして試験装置５０へ出力する。以下、所定のＣＤ用最大駆動電流値Ｉ（ＣＤ）ｍａｘまで同様の処理を繰り返す（ステップＳ１５）。ＣＤ用レーザ特性の計測が終れば、ＣＤ用レーザ発光ダイオードの駆動を停止させる。
【００２２】
次に、試験装置５０からレーザ発光部１０のＤＶＤ用レーザ発光ダイオードの特性計測が指示されると、コントロールマイコン４４は、ビームエキスパンダ３３のスライドモータ４０を駆動し、ＤＶＤ用の波長６５０ｎｍのレーザビームの合焦点が覆い板２０の反射面近傍に来るようにしたのち（ステップＳ１６、Ｓ１７）、パワーコントロール部１６にフィードバック制御をオフさせた状態で、まず所定のＤＶＤ用最小駆動電流値Ｉ（ＤＶＤ）ｍｉｎでＤＶＤ用レーザ発光ダイオードを駆動させ、覆い板２０の反射面２６で反射した戻り光の一部が入射されるモニタ用光検出部１５の検出出力値をパワーコントロール部１６を介して入力し、今回の駆動電流値と組にし、最初の計測データとして試験装置５０に出力する。その後、駆動電流をΔＩだけ増大させる指令をパワーコントロール部１６に与えて駆動電流を１ステップ分増大させ、そのときのモニタ用光検出部１５の検出出力値をパワーコントロール部１６を介して入力し、駆動電流値と組にして２番目の計測データとして試験装置５０へ出力する。以下、所定のＤＶＤ用最大駆動電流値Ｉ（ＤＶＤ）ｍａｘまで同様の処理を繰り返す（ステップＳ１８）。ＤＶＤ用レーザ特性の計測が終れば、ＤＶＤ用レーザ発光ダイオードを駆動を停止させる。
【００２３】
試験装置５０は計測結果から、ＣＤ用の波長７８０ｎｍのレーザビームがＣＤの信号面に照射されるレーザパワーが所定のＣＤ用の規定値とすることができる駆動電流を求め、ＣＤ用レーザ発光ダイオード駆動電流のデフォルト値としてコントロールマイコン４４に記憶させ、同様に、ＤＶＤ用の波長６５０ｎｍのレーザビームがＤＶＤの信号面に照射されるレーザパワーが所定のＤＶＤ用の規定値とすることができる駆動電流を求め、ＤＶＤ用レーザ発光ダイオード駆動電流のデフォルト値としてコントロールマイコン４４に記憶させる（ステップＳ１９、Ｓ２０）。
これにより、工場での試験時、光ディスクを装てんしなくてもレーザ発光部１０の試験が可能となり、また、個々の光ピックアップ５の特性のバラツキを打ち消すようにデフォルト値を個別に設定可能となる。
【００２４】
なお、コントロールマイコン４４には、ＣＤ用の波長７８０ｎｍのレーザビームが所定のＣＤ用の規定値のレーザパワーでＣＤの信号面に照射されたときの戻り光がモニタ用光検出部１５に入射したときの検出出力値をＣＤ用第１基準値、同じレーザパワー状態で覆い板２０の反射面２６で反射されたときの戻り光がモニタ用光検出部１５に入射したときの検出出力値をＣＤ用第２基準値、ＤＶＤ用の波長６５０ｎｍのレーザビームが所定のＤＶＤ用の規定値のレーザパワーでＤＶＤの信号面に照射されたときの戻り光がモニタ用光検出部１５に入射したときの検出出力値をＤＶＤ用第１基準値、同じレーザパワー状態で覆い板２０の反射面２６で反射されたときの戻り光がモニタ用光検出部１５に入射したときの検出出力値をＤＶＤ用第２基準値として記憶されている。
【００２５】
（２−１）ユーザ購入後のデフォルト値の更新
予め、電源オフ時の制御により光ピックアップ５が待機位置に復帰しており、覆い板２０が対物レンズ１１の光路上に進入する位置に来て前を覆い、ホコリや汚れが付着するのを防止しているものとする（図２（２）参照）。
電源がオンすると、試験装置５０が接続されていないので、コントロールマイコン４４は図５のフローに進み（ステップＳ１０でＮＯ）、まず念の為、サーボ回路４３に指示してスレッドモータ８により、光ピックアップ５をターンテーブル４の方向に図示しないストッパに当たるまで移動させ待機状態とする（ステップＳ２１）。次にコントロールマイコン４４は、ビームエキスパンダ３３のスライドモータ４０を駆動し、ＣＤ用の波長７８０ｎｍのレーザビームの合焦点が覆い板２０の反射面近傍に来るようにしたのち（ステップＳ２２）、パワーコントロール部１６にフィードバック制御をオフさせた状態で、ＣＤ用デフォルト値の駆動電流値でレーザ発光部１０のＣＤ用レーザ発光ダイオードを駆動させ（ステップＳ２３）、覆い板２０の反射面２６で反射した戻り光の一部が入射されるモニタ用光検出部１５の検出出力値をパワーコントロール部１６を介して入力し、ＣＤ用第２基準値と比較する（ステップＳ２４）。差が小さく許容範囲内であればＣＤ用のデフォルト値の更新はせずＣＤ用レーザ発光ダイオードの駆動を停止させて次に進む（ステップＳ２５でＹＥＳ、Ｓ２６）。経年劣化などで差が大きく許容範囲を越えているとき、差を小さくする方向にΔＩだけ駆動電流を増加または減少させ、許容範囲内に入ったかチェックし（ステップＳ２５でＮＯ、Ｓ２７、Ｓ２８）、入っていれば今回の駆動電流値でＣＤ用のデフォルト値を更新し、ＣＤ用レーザ発光ダイオードの駆動は停止させて次へ進む（ステップＳ２９、Ｓ３０）。入っていなければ、再度、駆動電流を増加または減少させる。若し、駆動電流が所定の制限値に達しても許容範囲内に入らないとき、コントロールマイコン４４はＣＤ用レーザ発光ダイオードの駆動を停止しユーザに対し警告表示をする（ステップＳ３１でＹＥＳ、Ｓ３２、Ｓ３３）。
【００２６】
ここでは、正常に更新できたものとして、次に、ビームエキスパンダ３３のスライドモータ４０を駆動し、ＤＶＤ用の波長６５０ｎｍのレーザビームの合焦点が覆い板２０の反射面近傍に来るようにしたのち（図６のステップＳ４０）、パワーコントロール部１６にフィードバック制御をオフさせた状態で、ＤＶＤ用デフォルト値の駆動電流値でＤＶＤ用レーザ発光ダイオードを駆動させ（ステップＳ４１）、覆い板２０の反射面２６で反射した戻り光の一部が入射されるモニタ用光検出部１５の検出出力値をパワーコントロール部１６を介して入力し、ＤＶＤ用第２基準値と比較する（ステップＳ４２）。差が小さく許容範囲内であればＤＶＤ用のデフォルト値の更新はせずＤＶＤ用レーザ発光ダイオードの駆動を停止させて次に進む（ステップＳ４３でＹＥＳ、Ｓ４４）。経年劣化などで差が大きく許容範囲を越えているとき、差を小さくする方向にΔＩだけ駆動電流を増加または減少させ（ステップＳ４５）、許容範囲内に入ったかチェックし（ステップＳ４６）、入っていれば今回の駆動電流値でＤＶＤ用のデフォルト値を更新し、ＤＶＤ用レーザ発光ダイオードの駆動は停止させる（ステップＳ４７、Ｓ４８）。入っていなければ、再度、駆動電流を増加または減少させる（ステップＳ４５）。若し、駆動電流が所定の制限値に達しても許容範囲内に入らないとき、コントロールマイコン４４はＤＶＤ用レーザ発光ダイオードの駆動は停止させユーザに対し警告表示をする（ステップＳ４９でＹＥＳ、Ｓ５０、Ｓ５１）。
このようにして、光ディスクが装てんされなくても、電源がオンされる度に、レーザ発光部１０を駆動するためのデフォルト値が適正値に更新される。
【００２７】
（２−２）覆い板の開放
次に、光ディスク２の装てんが検出されると、コントロールマイコン４４はサーボ回路４３に指示してスレッドモータ８により、対物レンズ１１の読み取り位置をリードインへ移動させる（図７のステップＳ６０、Ｓ６１）。このとき、作動部２３が受動部２２から離れるため、覆い板２０はコイルバネに付勢されて対物レンズ１１の光路上から退避した位置に来て光路を開放する（図２（１）、図９参照）。
【００２８】
（２−３）ディスクの種別判別
続いて、ディスク種別判別のためにコントロールマイコン４４はビームエキスパンダ３３のスライドモータ４０を駆動し、ビームエキスパンダ３３に入射されたレーザビームを通常の平行光束状態のまま出射するようにしたのち（ステップＳ６２）、パワーコントロール部１６に対しフィードバック制御をオフし、ＣＤ用デフォルト値でレーザ発光部１０のＣＤ用レーザ発光ダイオードを駆動させる（ステップＳ６３）。そして、サーボ回路４３に指示して、２軸アクチュエータ１７を駆動させ、対物レンズ１１を光ディスク２の信号面に垂直な方向に下から上へ移動させる（ステップＳ６４）。このとき、ヘッドアンプ４１から入力されるＦＥ信号（フォーカスＳカーブ信号）の波形の形からＣＤかＤＶＤかの判別を行なう（ステップＳ６５）。
【００２９】
（２−４）信号読み取り時のレーザパワーコントロール
若し、ＣＤと判別されたとき、コントロールマイコン４４はパワーコントロール部１６に対し、ＣＤ用デフォルト値でのレーザ発光部１０のＣＤ用レーザ発光ダイオードの駆動状態から、モニタ用光検出部１５の検出出力とＣＤ用第１基準値との差が零となるようにするフィードバック制御に移行させる（ステップＳ６７、Ｓ６８）。これにより、光ディスク２の信号面に照射されるレーザパワーがＣＤに対し定められた所定の規定値に維持させる。そして、コントロールマイコン４４はサーボ回路４３に指示してスピンドルサーボ、フォーカスサーボ、トラッキングサーボ、スレッドサーボの各種サーボを立ち上げさせ（ステップＳ６９）、光ディスク２をＣＬＶ回転させながら、リードイン以降に記録された信号の読み取りを行なわせる（ステップＳ７０）。フィードバック制御開始時点の駆動電流値が既に、ＣＤの信号面に照射されるレーザパワーが所定の規定値近くとなるような値に設定されているので、レーザ発光部１０の経年劣化に係わらず、迅速にフィードバック制御を収束させることができ、信号読み取りを速やかに開始させることができる。
この点、若し、工場で設定されたＣＤ用デフォルト値がユーザ購入後に一切更新されないとき、経年劣化でＣＤ用レーザ発光ダイオードの特性が悪化し、デフォルト値ではパワーが大幅に不足していると、フィードバック制御でレーザパワーが適正状態になるまで時間が掛かり、その分、信号読み取りの開始が遅くなってしまう。
【００３０】
若し、光ディスク２の種別がＤＶＤと判別されたとき、コントロールマイコン４４はパワーコントロール部１６に対しＣＤ用レーザ発光ダイオードの駆動を停止させ（ステップＳ７１）、ＤＶＤ用デフォルト値でのレーザ発光部１０のＤＶＤ用レーザ発光ダイオードの駆動をし（ステップＳ７２）、続いてモニタ用光検出部１５の検出出力とＤＶＤ用第１基準値との差が零となるようにするフィードバック制御に移行させる（ステップＳ７３）。これにより、光ディスク２の信号面に照射されるレーザパワーがＤＶＤに対し定められた所定の規定値に維持させる。そして、コントロールマイコン４４はサーボ回路４３に指示してスピンドルサーボ、フォーカスサーボ、トラッキングサーボ、スレッドサーボの各種サーボを立ち上げさせ、光ディスク２をＣＬＶ回転させながら、リードイン以降に記録された信号の読み取りを行なわせる。フィードバック制御開始時点の駆動電流値が既に、ＤＶＤの信号面に照射されるレーザパワーが所定の規定値近くとなるような値に設定されているので、レーザ発光部１０の経年劣化に係わらず、迅速にフィードバック制御を収束させることができ、信号読み取りを速やかに開始させることができる。
【００３１】
（２−５）電源オフ時の光ピックアップの待機
電源オフ時、コントロールマイコン４４はサーボ回路４３に指示してスレッドモータ８により、光ピックアップ５をターンテーブル４の方向に図示しないストッパに当たるまで移動させ待機状態とする（図８のステップＳ８０）。これにより、覆い板２０が対物レンズ１１の前を覆ってホコリや汚れが付着するのを防止する。
【００３２】
この実施例によれば、光ディスク２が未装てんであっても、反射面２６を有する覆い板２０を対物レンズ１１の前に位置させることにより、戻りビームの光強度を検出することができ、例えば、工場でのメカ部組み立てラインにおいて光ピックアップ５のレーザパワーを試験する際に光ディスク２の装てんを要せず、手間が省ける。また、工場からの出荷前に個々の光ピックアップ５の特性のバラツキに係わらず、光ディスクに照射されるレーザパワーを所定の規定値とできるデフォルトのレーザ発光部１０の駆動電流値を個別に設定することができる。
また、ユーザ購入後にレーザ発光部１０の経年劣化が進んでも、光ディスク２が未装てんの間に、反射面２６を有する覆い板２０を対物レンズ１１の前に位置させ、パワーコントロール部１６のフィードバック制御をオフしながら可変の駆動電流値でレーザ発光部１０を発光させたときのモニタ用光検出部１５の検出出力から、光ディスク２の信号面に照射されるレーザパワーを所定の規定値にするための駆動電流を求め、新たなデフォルト値として更新記憶する。次に光ディスク２が装てんされたとき、この更新後のデフォルト値の駆動電流でレーザ発光部１０の発光を開始させてフィードバック制御することで、光ディスク２の信号面に照射されるレーザパワーを迅速に所定の規定値とでき、信号読み取りを素早く開始できる。
また、電源オフ中は、対物レンズ１１の前が覆い板２０で覆われるので、対物レンズ１１の表面にホコリや汚れが付着するのを防止できる。
また、光ディスク２の信号面より、覆い板２０の反射面２６が遥かに対物レンズ１１に近いが、ビームエキスパンダ３３によりレーザビームの合焦点を反射面２６の近傍に合わせることができ、戻り光の検出を確実に行なうことができる。
【００３３】
なお、上記した実施例では、光ピックアップを光ディスクの内周側に待機させたとき、対物レンズの前が覆い板で覆われるようにしたが、光ディスクの外周側に待機させたとき覆われるようにしてもよい。また、覆い板の上面に反射面を形成するようにしても良い。
また、上記した実施例では、覆い板は回動軸を中心に回動するように動作しているが、覆い板を光路と垂直方向に直動させるような構成にしてもよく、或いは、覆い板を分割して並列した２枚の板で構成しておき、夫々が逆方向に動くようにして引き戸が開閉するような構成にしてもよい。
【産業上の利用可能性】
【００３４】
本発明は、ＣＤ（コンパクトディスク）、ＤＶＤ（ディジタルバーサタイルディスク）、ＢＤ（ブルーレイディスク）などの光ディスクの１種類または多種類の再生装置、記録装置、記録／再生装置に適用できる。
【符号の説明】
【００３５】
１  固定ベース
２  光ディスク
５  光ピックアップ
６  スライドベース
８  スレッドモータ
１０  レーザ発光部
１１  対物レンズ
１３  光学系
１５  モニタ用光検出部
１６  パワーコントロール部
２０  覆い板
２１  回動軸
２２  受動部
２３  作動部
２４  コイルバネ
２６  反射面
３３  ビームエキスパンダ
４３  サーボ回路
４４  コントロールマイコン
５０  試験装置
【図１】
2012059318.tif 000003
【図２】
2012059318.tif 000004
【図３】
2012059318.tif 000005
【図４】
2012059318.tif 000006
【図５】
2012059318.tif 000007
【図６】
2012059318.tif 000008
【図７】
2012059318.tif 000009
【図８】
2012059318.tif 000010
【図９】
2012059318.tif 000011